【手続補正書】
【提出日】平成27年10月7日(2015.10.7)
【手続補正１】
【補正対象書類名】特許請求の範囲
【補正対象項目名】全文
【補正方法】変更
【補正の内容】
【特許請求の範囲】
【請求項１】
光源を発光させることで画像を表示させる投影装置であって、
画像データを入力する入力手段と、
前記入力手段により入力された画像データが示す階調値に基づいてフリッカーの知覚され易さを示すフリッカー情報を決定する評価手段と、
前記入力手段により入力された画像データに応じた１フレームの画像に対応する時間内における前記光源の発光回数を、前記評価手段により決定されたフリッカー情報に基づいて制御する制御手段と、を有することを特徴とする投影装置。
【請求項２】
前記制御手段は、フリッカーが知覚されやすいことを示すフリッカー情報が前記評価手段により決定された場合には、前記１フレームの画像に対応する時間内における前記光源の発光回数を２回にすると共に、前記フリッカー情報に応じて前記光源の１回目の発光における発光強度と２回目の発光における発光強度との比率を制御することを特徴とする請求項１に記載の投影装置。
【請求項３】
前記制御手段は、前記光源の前記１回目の発光における発光強度に比べて前記２回目の発光における発光強度を小さくすることを特徴とする請求項２に記載の投影装置。
【請求項４】
前記制御手段は、前記光源の前記１回目の発光における発光時間に比べて前記２回目の発光における発光時間を長くすることを特徴とする請求項２または３に記載の投影装置。
【請求項５】
前記入力手段により入力された画像データから中間画像データを生成する生成手段を有し、
前記評価手段により決定された前記画像データについてのフリッカー情報が、フリッカーが知覚されやすいことを示している場合、
前記制御手段は、前記画像データに応じた画像を表示する時間内において前記光源に１回目の発光をさせ、前記中間画像データに応じた中間画像を表示する時間内において前記光源に２回目の発光をさせることを特徴とする請求項１ないし４の何れか１項に記載の投影装置。
【請求項６】
前記評価手段は、
前記入力手段によって入力された画像データに基づいて画像の階調値を平均したＡＰＬ値を算出するＡＰＬ値算出手段と、
前記ＡＰＬ値算出手段により算出されたＡＰＬ値と、該投影装置の設定に応じた光束値とに基づいて表示光束値を算出する表示光束値算出手段と、を有し、
前記フリッカー情報は、前記表示光束値算出手段により算出された表示光束値であることを特徴とする請求項１ないし５の何れか１項に記載の投影装置。
【請求項７】
前記制御手段は、前記表示光束値算出手段により算出された表示光束値が５００Ｌｕｍｅｎよりも大きい場合に、前記１フレームの画像に対応する時間内における前記光源の発光回数を２回にすることを特徴とする請求項６に記載の投影装置。
【請求項８】
前記制御手段は、前記入力手段により入力された画像データに応じた画像を表示する時間内において前記光源に第１の発光と、前記第１の発光よりも発光時間が長い第２の発光をさせる場合において、前記第１の発光が前記第２の発光よりも明るくなるように前記光源による発光を制御することを特徴とする請求項１ないし７の何れか１項に記載の投影装置。
【請求項９】
光源を発光させることで画像を表示させる投影装置であって、
画像データを入力する入力手段と、
前記入力手段により入力された画像データに応じた画像の表示のために前記光源からの光を透過させる回転ホイールであって、光の透過する比率が異なる第１の透過部と第２の透過部とを有する回転ホイールと、
前記入力手段により入力された１フレームの画像データに応じた画像を表示する時間内のうち、第１の時間においては前記光源からの光が前記第１の透過部によって透過されて画像が表示され、第２の時間においては前記光源からの光が前記第２の透過部によって透過されて画像が表示されるように前記回転ホイールを回転させる制御手段と、を有することを特徴とする投影装置。
【請求項１０】
前記第１の透過部は、前記第２の透過部よりも光の透過する比率が大きく、且つ、前記第１の透過部により光が透過される時間は、前記第２の透過部により光が透過される時間よりも短いことを特徴とする請求項９に記載の投影装置。
【請求項１１】
前記入力手段により入力された画像データから中間画像データを生成する生成手段を有し、
前記画像データに応じた画像の後に前記中間画像データに応じた中間画像を表示する場合、
前記制御手段は、前記光源からの光が前記第１の透過部を透過して前記画像が表示されると共に、前記光源からの光が前記第２の透過部を透過して前記中間画像が表示されるように前記回転ホイールを回転させることを特徴とする請求項１０に記載の投影装置。
【請求項１２】
第１の光源および第２の光源を発光させることで画像を表示させる投影装置であって、
画像データを入力する入力手段と、
前記入力手段により入力された画像データに応じた１フレームの画像を表示する時間内において、前記第１の光源を常に発光させると共に、前記第２の光源を前記第１の光源の発光時間よりも短く発光させる制御手段と、を有することを特徴とする投影装置。
【請求項１３】
前記入力手段により入力された画像データから中間画像データを生成する生成手段を有し、
前記画像データに応じた画像の後に前記中間画像データに応じた中間画像を表示する場合、
前記制御手段は、前記画像および前記中間画像を表示する時間内において前記第１の光源を発光させると共に、前記画像を表示する時間内は前記第２の光源を発光させ前記中間画像を表示する時間内は前記第２の光源を発光させないように制御することを特徴とする請求項１２に記載の投影装置。
【請求項１４】
前記制御手段は、前記第２の光源を発光させているときには、前記第２の光源を発光させていないときよりも前記第１の光源を暗くすることを特徴とする請求項１２または１３に記載の投影装置。
【請求項１５】
光源を発光させることで画像を表示させる投影装置であって、
画像データを入力する入力手段と、
前記光源からの光の透過を調整する絞り機構と、
前記入力手段により入力された画像データに応じた１フレームの画像に対応する時間内に前記絞り機構の開閉に係る制御を複数回行なう制御手段と、を有することを特徴とする投影装置。
【請求項１６】
前記入力手段により入力された画像データから中間画像データを生成する生成手段を有し、
前記画像データに応じた画像の後に前記中間画像データに応じた中間画像を表示する場合、
前記制御手段は、前記画像を表示させるために前記光源が発光している時間内において前記光源からの光を透過させない状態から透過させる状態にするための前記絞り機構の制御を１回行い、前記中間画像を表示させるために前記光源が発光している時間内において前記光源からの光を透過させない状態から透過させる状態にするための前記絞り機構の制御を１回行なうことを特徴とする請求項１５に記載の投影装置。
【請求項１７】
前記制御手段は、前記入力手段により入力された画像データに応じた１フレームの画像を表示させるための時間内において、前記光源からの光を常に透過させると共に、前記時間内のうち所定の時間においては、前記時間内のうちの他の時間よりも前記光源からの光の透過量が大きくなるように、前記絞り機構を制御することを特徴とする請求項１５に記載の投影装置。
【請求項１８】
光源を発光させることで画像を表示させる投影装置の制御方法であって、
画像データを入力する入力ステップと、
前記入力ステップにより入力された画像データが示す階調値に基づいてフリッカーの知覚され易さを示すフリッカー情報を決定する評価ステップと、
前記入力ステップにより入力された画像データに応じた１フレームの画像に対応する時間内における前記光源の発光回数を、前記評価ステップにより決定されたフリッカー情報に基づいて制御する制御ステップと、を有することを特徴とする制御方法。
【請求項１９】
光の透過率が異なる第１の透過部と第２の透過部とを有する回転ホイールを有し、光源を発光させることで前記回転ホイールを透過させて画像を表示させる投影装置の制御方法であって、
画像データを入力する入力ステップと、
前記入力ステップにより入力された１フレームの画像データに応じた画像を表示する時間内のうち、第１の時間においては前記光源からの光が前記第１の透過部によって透過されて画像が表示され、第２の時間においては前記光源からの光が前記第２の透過部によって透過されて画像が表示されるように前記回転ホイールを回転させる制御ステップと、を有することを特徴とする制御方法。
【請求項２０】
第１の光源および第２の光源を発光させることで画像を表示させる投影装置の制御方法であって、
画像データを入力する入力ステップと、
前記入力ステップにより入力された画像データに応じた１フレームの画像を表示する時間内において、前記第１の光源を常に発光させると共に、前記第２の光源を前記第１の光源の発光時間よりも短く発光させる制御ステップと、を有することを特徴とする制御方法。
【請求項２１】
光の透過を調整する絞り機構を有し、光源を発光させることで前記絞り機構を透過させて画像を表示させる投影装置の制御方法であって、
画像データを入力する入力ステップと、
前記入力ステップにより入力された画像データに応じた１フレームの画像に対応する時間内に前記絞り機構の開閉に係る制御を複数回行なう制御ステップと、を有することを特徴とする制御方法。
【請求項２２】
請求項１８ないし２１の何れか１項に記載の制御方法を実行させるためのプログラム。
【手続補正２】
【補正対象書類名】明細書
【補正対象項目名】０００９
【補正方法】変更
【補正の内容】
【０００９】
本発明の投影装置は、光源を発光させることで画像を表示させる投影装置であって、画像データを入力する入力手段と、前記入力手段により入力された画像データが示す階調値に基づいてフリッカーの知覚され易さを示すフリッカー情報を決定する評価手段と、前記入力手段により入力された画像データに応じた１フレームの画像に対応する時間内における前記光源の発光回数を、前記評価手段により決定されたフリッカー情報に基づいて制御する制御手段と、を有することを特徴とする。
【手続補正３】
【補正対象書類名】図面
【補正対象項目名】図８
【補正方法】変更
【補正の内容】
【図８】
2014081480.tif 000001